(57)【要約】【課題】従来の空気調和機用室外機の露回収装置で、室外機に温水ユニットを載せるものでは、冷媒接続バルブと温水接続バルブとを区別し誤接続を防止するために側面側に冷媒接続バルブを配置したい場合は、結露水が外部に漏れてしまうという問題がある。【解決手段】この発明は、冷媒回路を備えた室外機ユニット上に温水ユニットを載せて該温水ユニットから冷媒配管を取り出す空気調和機の室外機において、前記温水ユニットの冷媒接続バルブを覆う冷媒配管カバーを設け、この冷媒配管カバーに結露水を前記温水ユニット内に回収する露回収構造を備えた構成とした。【選択図】　　　　図１
2004116887.tif 000002
【特許請求の範囲】
【請求項１】
冷媒回路を備えた室外機ユニット上に温水ユニットを載せて該温水ユニットから冷媒配管を取り出す空気調和機の室外機において、前記温水ユニットの冷媒接続バルブを覆う冷媒配管カバーを設け、この冷媒配管カバーに結露水を前記温水ユニット内に回収する露回収構造を備えたことを特徴とする空気調和機用室外機の露回収装置。
【請求項２】
室外機の熱交換器を介して結露水を室外機外へ導く結露水排出穴を温水ユニット底板に設けたことを特徴とする請求項１記載の空気調和機用室外機の露回収装置。
【発明の詳細な説明】
【０００１】
【発明の属する技術分野】
この発明は、空気調和機の室外機に係り、室外機ユニットの上に温水ユニットを載せた結露水回収に関するものである。
【０００２】
【従来の技術】
従来の空気調和機の室外機は、室外機底板１、排水孔２、前記室外機底板１の前面側略中央に圧縮機カバ−４で覆われて載置された圧縮機３、同圧縮機３の背面側と両側とにわたって略凹状に折曲形成された熱交換器５、同熱交換器５の背面部に対向して設けられた送風機６、前記熱交換器５の両端に取り付けられた側板８の上端に固定された板金製の保持板９上に保持され、上部が天井補強板１０で覆われた電装品箱７の一側の前記保持板９に複数の冷媒接続バルブ１２を固定して取り付けられた板金製の冷媒接続バルブ取付具８に穴１３が設けられている。また、前記冷媒接続バルブ１２を固定した冷媒接続バルブ取付具１１および天井補強板１０でカバーされた前記電装品箱７の上部を覆う合成樹脂製のトップカバー１４と、前記室外機底板１に被着された前面からなる合成樹脂製のフロントカバー１５とを設け、背面および両側面からなる合成樹脂製のリヤカバー１６によって外郭が構成している。これにより冷媒接続バルブ１２に発生して接続バルブ取付具１１に滴下した結露水を前記穴１３から前記熱交換器５に流下して、室外機底板１に設けられた排水孔２から外部に排出できるようになっている。
【０００３】
【先行文献１】
特開平１−２６４５８４号公報（第３頁、第２図、第３図）
【０００４】
【発明が解決しようとする課題】
従来の空気調和機用室外機の露回収装置は、冷媒接続バルブ１２を天面側に配置する場合は問題無く排水できるのだが、冷媒室外機の上に温水ユニットを載せて温水ユニットから冷媒配管を取り出す構成の空気調和機の室外機では温水接続バルブと冷媒接続バルブの接続を誤らないために冷媒接続バルブを側面側に配置することになり、冷媒接続バルブを側面側に配置したい場合は結露水が外部に漏れてしまうという問題がある。
【０００５】
この発明は上記のような問題点を解消するためになされたもので、冷媒接続バルブが側面側に配置されても結露水を外部に漏れることなく室外機底板の排水孔から排出できる空気調和機用室外機の露回収装置を得ることを目的としている。
【０００６】
【課題を解決するための手段】
この発明にかかる空気調和機用室外機の露回収装置は、冷媒回路を備えた室外機筐体上に温水ユニットを載せて該温水ユニットから冷媒配管を取り出す空気調和機の室外機において、前記温水ユニットの冷媒接続バルブを覆う冷媒配管カバーを設け、この冷媒配管カバーに結露水を前記温水ユニット内に回収する露回収構造を備えたものである。
【０００７】
【発明の実施の形態】
実施の形態１．
以下、この発明の実施の形態１を図により説明する。図１はこの発明による空気調和機用室外機の露回収装置を示す斜視図、図２はこの発明による空気調和機用室外機の露回収装置を示す背面斜視図で、図３はこの発明による空気調和機用室外機の露回収装置を示す正面の断面図で、図４は空気調和機用室外機の露回収装置の温水ユニットを示す正面の断面図である。空気調和機の室外機は２つのユニットで構成され、従来の室外機である室外機ユニット１７とその上部に載せられた温水ユニット１８から構成されている。
【０００８】
まず、室外機ユニット１７について説明する。室外機ユニット１７は、室外機底板１、排水孔２、Ｌ字状に形成された熱交換器５、複数の第１冷媒接続バルブ１２を固定して取り付けられた板金製の第１冷媒接続バルブ取付具１１、前記室外機底板１に被着された前面吸込グリル１５ａおよび両側面からなる板金製のフロントカバー１５、背面および右側面からなる板金製のリヤカバー１６によって外郭が構成されている。第１冷媒配管カバー１９は、複数の固定爪２０が前記フロントカバー１５の複数の角穴２１に挿入されて、取付ネジ２２によって前記第１冷媒接続バルブ１２を覆うように前記フロントカバー１５に固定されている。
【０００９】
次に温水ユニット１８について説明する。温水ユニット１８は、前面および両側面からなる板金製の温水フロントカバー２３と、排出穴２４を備えた温水ユニット底板２５に被着され、背面および両側面からなる板金製の温水リヤカバー２６、天面からなるトップカバー１４によって、外郭を構成している。内部には、内部配管２７や複数の第２冷媒接続バルブ２８から発生する結露水を、前記排出穴２４に導くために、前記温水ユニット底板２５に一体で設けられたガイド２９が形成されている。板金製の第２冷媒接続バルブ取付具３０は、複数の第２冷媒接続バルブ２８を取り付けて固定されている。板金製の温水接続バルブ取付具３１は、複数の温水接続バルブ３２を固定して取り付けられている。前記第２冷媒接続バルブ２８と前記温水接続バルブ３２の一部が同じ配管径であるため誤接続しないように、前記第２冷媒接続バルブ取付具３０と前記温水接続バルブ取付具３１をなるべく離して固定するために、前記第２冷媒接続バルブ取付具３０は右側面に、温水接続バルブ取付具３１は天面に固定している。
【００１０】
第２冷媒配管カバー３３は、複数の固定爪３４が前記温水フロントカバー３１および前記温水リアカバー３２の複数の角穴３５に挿入されて、取付ネジ３６によって前記第２冷媒接続バルブ２８を覆うように前記温水フロントカバー２３に固定されている。前記第２冷媒配管カバー３３には、第２冷媒接続バルブ２８から発生する結露水を回収するための露受部３７が一体で形成されていて、前記温水リアカバー２６に設けられた回収穴３８に挿入されて、露が露受部３７から回収穴３８を経て、温水ユニット底板２５に結露水を回収する。前記室外機ユニット１７と前記温水ユニット１８とを接続するための接続配管３９は、一端は前記温水ユニット１８の内部配管２７に溶接されていて、もう一端は前記室外機ユニット１７の第１冷媒接続バルブ１２に接続されている。
【００１１】
そして、前記温水ユニット１８の第２冷媒接続バルブ２８に発生した結露水は、温水配管カバー３３の露受部３７に滴下し、この露受部を介して温水ユニット底板２３に回収され、内部配管２７から発生した結露水とともに、ガイド２９によって排出穴２４から室外機ユニット１７に流下される。結露水は、熱交換器５を介して室外機底板１に回収され排水孔２から外部に排水される。
【００１２】
【発明の効果】
この発明にかかる空気調和機用室外機の露回収装置、冷媒回路を備えた室外機ユニット上に温水ユニットを載せて該温水ユニットから冷媒配管を取り出す空気調和機の室外機において、前記温水ユニットの冷媒接続バルブを覆う冷媒配管カバーを設け、この冷媒配管カバーに結露水を前記温水ユニット内に回収する露回収構造を備えた構成したので、冷媒接続バルブを側面側に配置した場合でも結露水が外部に漏れることなく熱交換器を冷やし、室外機底板の排水孔から排出できる効果がある。
【００１３】
この発明にかかる空気調和機用室外機の露回収装置は、室外機の熱交換器を介して結露水を室外機外へ導く結露水排出穴を温水ユニット底板に設けた構成としたので、冷媒接続バルブを側面側に配置した場合でも結露水が外部に漏れることなく室外機底板の排水孔から排出できる。
【図面の簡単な説明】
【図１】この発明の実施の形態１による空気調和機の室外機を示す斜視図である。
【図２】この発明の実施の形態１による空気調和機の室外機を示す背面斜視図である。
【図３】この発明の実施の形態１による空気調和機の室外機を示す正面からの断面図である。
【図４】この発明の実施の形態１による空気調和機の室外機の温水ユニットを示す正面からの断面図である。
【図５】従来の空気調和機の室外機を示す斜視図である。
【符号の説明】
１　室外機底板、２　排水孔、５　熱交換器、１２　第１冷媒接続バルブ、１３　穴、１７　室外機ユニット、１８　温水ユニット、１９　第１冷媒配管カバー、２３　温水フロントカバー、２４　排出穴、２５　温水ユニット底板、、２６　温水リヤカバー、２７　内部配管、２８　第２冷媒接続バルブ、２９　ガイド、３２　温水接続バルブ、３３　第２冷媒配管カバー、３７　露受部、３８　回収穴。
【図１】
2004116887.tif 000003
【図２】
2004116887.tif 000004
【図３】
2004116887.tif 000005
【図４】
2004116887.tif 000006
【図５】
2004116887.tif 000007